(57)【要約】【課題】対物レンズの切り換えをコンパクトで且つシンプルな構成により実現し、さらに、光ディスクに対する各対物レンズの追従性が良好で、対物レンズの安定した位置補正制御が可能な光ディスク装置を提供する。【解決手段】光ピックアップ機構３に、開口数の異なる２個の対物レンズ１０Ａ，１０Ｂを保持するレンズホルダ１２と、該レンズホルダ１２を複数のワイヤＷ１〜Ｗ４で支持するとともに該レンズホルダ１２を電磁力により微小駆動するレンズアクチュエータ１１と、レーザ光の出射位置に２個の対物レンズをそれぞれ配置可能なようにレンズアクチュエータ１１を移動させるレンズ切換機構４１，４２とが設けられるとともに、レンズアクチュエータ１１は、２個の対物レンズ１０Ａ，１０Ｂを光ディスクの回転方向に並ぶようにレンズホルダ１２を支持するとともに、レンズホルダ１２を２個の対物レンズ１０Ａ，１０Ｂの中間の点をほぼ中心とした回転方向に駆動することで対物レンズ１０Ａ，１０Ｂのトラッキング方向の補正を行うように構成する。【選択図】        図１
2004326887.tif 000002
【特許請求の範囲】
【請求項１】
レーザ光を所定の経路に導く光学系およびこのレーザ光を光ディスクの記録面へ集光させる対物レンズを備えた光ピックアップ機構と、該光ピックアップ機構を光ディスクの半径方向へ移動させるトラック移動手段とを備えた光ディスク装置において、
上記光ピックアップ機構には、開口数の異なる２個の対物レンズと、該２個の対物レンズを保持する１個のレンズホルダと、このレンズホルダを複数のワイヤで支持するとともに電磁力により該レンズホルダを所定方向へ位置補正可能なレンズ駆動手段と、レーザ光の出射位置に上記２個の対物レンズをそれぞれ配置可能なように上記レンズ駆動手段を移動させるレンズ切換機構とが設けられるとともに、
上記レンズ切換機構はレーザ光の出射位置における光ディスクの回転方向に上記レンズ駆動手段を移動可能に構成され、
上記２個の対物レンズは光ディスクの回転方向に並んで配置されるとともに、上記レンズ駆動手段は上記レンズホルダを上記２個の対物レンズの中間の点をほぼ中心とした回転方向に駆動することで上記対物レンズのトラッキング方向の補正を行うように構成されていることを特徴とする光ディスク装置。
【請求項２】
レーザ光を所定の経路に導く光学系およびこのレーザ光を光ディスクの記録面へ集光させる対物レンズを備えた光ピックアップ機構と、該光ピックアップ機構を光ディスクの半径方向へ移動させるトラック移動手段とを備えた光ディスク装置において、
上記光ピックアップ機構には、開口数の異なる２個の対物レンズと、該２個の対物レンズをともに保持する１個のレンズホルダと、このレンズホルダを複数のワイヤで支持するとともに電磁力により該レンズホルダを所定方向へ位置補正可能なレンズ駆動手段とが設けられるとともに、
上記２個の対物レンズは光ディスクの回転方向に並んで配置されていることを特徴とする光ディスク装置。
【請求項３】
上記レンズ駆動手段は、上記レンズホルダを上記２個の対物レンズの中間の点をほぼ中心とした回転方向に駆動することで上記対物レンズのトラッキング方向の補正を行うように構成されていることを特徴とする請求項２記載の光ディスク装置。
【請求項４】
レーザ光の出射位置に上記２個の対物レンズをそれぞれ配置させるように上記レンズ駆動手段を移動可能なレンズ切換機構を備えるとともに、
当該レンズ切換機構は上記レーザ光の出射位置における光ディスクの回転方向に上記レンズ駆動手段を移動可能に構成されていることを特徴とする請求項２又は３に記載の光ディスク装置。
【発明の詳細な説明】
【０００１】
【発明の属する技術分野】
この発明は、光ディスクに情報の記録又は再生を行う光ディスク装置に関し、さらには複数種類の光ディスクに対応可能とした光ディスク装置に関する。
【０００２】
【従来の技術】
現在、データの書き換え可能なタイプのＣＤ（コンパクトディスク）やＤＶＤ（デジタル多用途ディスク）に加え、青紫レーザを用いて大容量の記録と再生を可能とする光ディスクなど、複数種類のメディアが実用化されている。
【０００３】
これらのメディアに情報の記録又は再生を行う場合には、各メディアに対応した波長のレーザ光を用いる必要があり、さらに、ＣＤやＤＶＤでは開口数“ＮＡ０．６〜０．６５”の対物レンズ、青紫レーザ用の光ディスクでは開口数“ＮＡ０．８５〜１．０”の対物レンズと云うように、各メディアに対応した対物レンズを用いる必要がある。
【０００４】
そのため、１台の光ディスク装置を複数種類のメディアに対応させるには、装置内に出力波長の異なる複数の半導体レーザや開口数の異なる複数の対物レンズを搭載しておき、メディアの種類に応じてそれらを切り換えて使用することが必要となる。
【０００５】
複数の対物レンズを切り換えて使用することで複数のメディアに対応可能とする従来の技術としては、例えば特許文献１および特許文献２に開示の技術がある。これらは、１つのレンズホルダに複数の対物レンズを設けるとともに、レンズホルダを並進又は回転させることで使用する対物レンズを切り換えるようにしたものである。
【０００６】
【特許文献１】
特開平１２−２０５７２号公報
【特許文献１】
特開平１０−１９８９９３号公報
【０００７】
【発明が解決しようとする課題】
ところで、光ディスク装置においては、対物レンズを光のフォーカス方向、および、ディスク上のデータ列と直交するディスクの半径方向（トラック方向）にそれぞれ微小変位させて位置補正を図る必要がある。そのため、従来の光ディスク装置には、レンズホルダを複数のワイヤで支持したり、或いは、レンズホルダを摺動可能に軸支するとともに、電磁力を用いてレンズホルダを微小駆動するレンズアクチュエータが設けられ、そのレンズアクチュエータを用いて上記の位置補正を行っている。このようなレンズアクチュエータにおいて、レンズホルダを支持する構成は、ワイヤ支持構造のものが対物レンズの追従性の点から優れているとされている。
【０００８】
ところが、ワイヤ支持構造でレンズホルダを並進させるタイプのレンズアクチュエータでは、レンズホルダの重量が増せば増すほどレンズホルダの共振周波数が低くなるという性質があった。そのため、２個の対物レンズを１つのレンズホルダに保持させて切り換える構成を適用した場合、対物レンズの個数が増える分レンズホルダの重量が増して、レンズアクチュエータの共振周波数が低くなるという課題が生じてしまう。
【０００９】
このような共振周波数の低下は、フォーカス方向の補正制御にはさほど高い周波数範囲での制御動作は求められていないため問題にならないが、トラック方向の補正制御には高い周波数範囲での制御動作も求められているため、トラッキング制御においてその安定性が劣化するという課題が生じさせる。
【００１０】
この発明の目的は、１個のレンズホルダに２個の対物レンズを保持させることで対物レンズの切り換えをコンパクトな構成により実現し、さらに、光ディスクに対する各対物レンズの追従性が良好で、対物レンズの安定した位置補正制御を行える光ディスク装置を提供することにある。
【００１１】
【課題を解決するための手段】
本発明は、上記目的を達成するため、レーザ光を所定の経路に導く光学系およびこのレーザ光を光ディスクの記録面へ集光させる対物レンズを備えた光ピックアップ機構と、該光ピックアップ機構を光ディスクの半径方向へ移動させるトラック移動手段とを備えた光ディスク装置において、上記光ピックアップ機構には、開口数の異なる２個の対物レンズと、該２個の対物レンズを保持する１個のレンズホルダと、このレンズホルダを複数のワイヤで支持するとともに電磁力により該レンズホルダを所定方向へ位置補正可能なレンズ駆動手段と、レーザ光の出射位置に上記２個の対物レンズをそれぞれ配置可能なように上記レンズ駆動手段を移動させるレンズ切換機構とが設けられるとともに、上記レンズ切換機構はレーザ光の出射位置における光ディスクの回転方向に上記レンズ駆動手段を移動可能とする構成であり、上記２個の対物レンズは光ディスクの回転方向に並んで配置されるとともに、上記レンズ駆動手段は上記レンズホルダを上記２個の対物レンズの中間の点をほぼ中心とした回転方向に駆動することで上記対物レンズのトラッキング方向の補正を行うように構成したものである。
【００１２】
このような手段によれば、１つのレンズホルダに２個の対物レンズを保持する構成なので、対物レンズやレンズ駆動手段を含めた光ピックアップ機構全体をコンパクトに且つシンプルに構成できる。そにより、例えば、光ピックアップ機構を対物レンズ毎に２系統設ける場合と比較して部品点数やコストの削減を図れる。
【００１３】
さらに、レンズ駆動手段はレンズホルダをワイヤで支持する構成なため、光ディスクに対する対物レンズの追従性が良く、さらにトラッキング方向の位置補正がレンズホルダを回転方向に駆動することで行われるため、詳細は実施の形態で述べるが、レンズホルダを並進駆動させる場合に比べて共振周波数を高くすることが出来る。
【００１４】
そのため、レンズホルダに２個の対物レンズを保持させてレンズホルダの重量が増しても、トラッキング方向の位置補正に必要な周波数範囲にこの位置補正に付随する共振周波数が重ならないように、共振周波数を高くすることができ、それにより安定したトラッキング制御を行うことが出来る。
【００１５】
【発明の実施の形態】
以下、本発明の実施の形態を図面に基づいて説明する。
図１は、本発明の実施の形態の光ディスク装置における光ピックアップの駆動系の構成を示す斜視図である。
この実施の形態の光ディスク装置は、例えば出力波長の異なる３個の半導体レーザ（図１では１個の半導体レーザ２０Ａの他は省略している）と、開口数の異なる２個の対物レンズ１０Ａ，１０Ｂとが搭載され、これらの半導体レーザや対物レンズを切り換えて使用することで、書換え可能なＣＤやＤＶＤに加えて青紫レーザ用の光ディスクにも対応し、これら複数種のメディアに情報の記録と再生が可能に構成されている。
【００１６】
この光ディスク装置は、光ディスクの中央部分を固定して回転駆動するスピンドル２と、情報の記録再生のためにレーザ光を所定の経路に沿って導く光学系が搭載されたピックアップ機構３と、情報の記録再生の位置に合わせてピックアップ機構３を光ディスクの半径方向へ移動させるトラック移動手段としてのスクリューシャフト４，４および図示しない駆動モータと、光ディスクを装置から出し入れする図示しないトレイ機構と、各部の電気制御を行う図示しない制御回路等を備えている。
【００１７】
光ピックアップ機構３は、対物レンズを除いた光学系が搭載された枠体３Ｂと、対物レンズ１０Ａ，１０Ｂを保持するとともに枠体３Ｂ上で配置を切換え可能な状態に固定されたレンズアクチュエータ１１とから構成される。
【００１８】
枠体３Ｂに搭載される光学系には、半導体レーザ２０Ａ…、コリメータレンズ、集光レンズ、ビームスプリッタ２１およびレーザダイオード等が含まれる。これらの素子は、詳細は省略するが、対物レンズ１０Ａ，１０Ｂの何れかが配置されるピックアップ位置までレーザ光を出力して導いたり、光ディスクの反射光を抽出して強度を検出したり、レーザ光の出力レベルを一定に保つ帰還制御のために出力光の一部を帰還させたり、対物レンズ１０Ａ，１０Ｂの位置補正を行うために入射光や反射光の一部を抽出したりするのに用いられる。
【００１９】
レンズアクチュエータ１１の配置を切り換える構成（レンズ切換機構）は、特に制限されるものではないが、例えば図１に示すように、枠体３Ｂにスライドシャフト４２，４２を設ける一方、レンズアクチュエータ１１のベース部３Ａに軸受け４１，４１…を設け、この軸受け４１，４１…がスライドシャフト４２，４２に摺動可能に軸支される構成を適用することが出来る。その他、揺りかご式の運動機構を用いてレンズアクチュエータ１１の配置切り換える構成など、種々の構成を適用することが出来る。
【００２０】
レンズアクチュエータ１１の配置を切り換えるための駆動力は、図示は省略するが、モータやソレノイドアクチュエータ等の駆動装置を枠体３Ｂ上に設けてこれらの駆動装置から伝達したり、或いは、ピックアップ機構３のホームポジションの位置に駆動装置を設けておく一方、ピックアップ機構３がホームポジションに移動した際にこの駆動装置とレンズアクチュエータ１１の移動機構とが連結されて動力が伝達されるように構成することも出来る。
【００２１】
図２には、レンズアクチュエータ１１の構成を示す分離斜視図を、図３にはこのレンズアクチュエータ１１の平面図を示す。
この実施の形態のレンズアクチュエータ１１は、対物レンズをフォーカス方向Ｆ、光ディスクの回転方向に直交するトラッキング方向Ｔｒ、光ディスクの半径方向の傾きに相当するチルト角方向Ｔｉの３軸方向に微小変位させることが可能に構成されたものである。
【００２２】
このレンズアクチュエータ１１は、２個の対物レンズ１０Ａ，１０Ｂを保持するレンズホルダ１２と、このレンズホルダ１２を支持する４本のワイヤＷ１〜Ｗ４と、ワイヤＷ１〜Ｗ４の通過する範囲にレンズホルダ１２の共振を減衰させる緩衝用ゲル（図示略）を装填するためのゲルボックス２２，２２と、電磁力によりレンズホルダ１２を駆動するためにレンズホルダ１２側に設けられたコイルＦ１，Ｔｒ１１，Ｔｒ１２，Ｔｒ２１，Ｔｒ２２（図３）およびレンズホルダ１２の底面に取り付けられた磁石１５Ａ，１５Ｂと、ベース部３Ａ側に設けられた磁石３１，３２およびコイルＴｉ１，Ｔｉ２等を備えている。また、ベース部３ＡにはワイヤＷ１〜Ｗ４を固定するためのワイヤ基板２０や磁石を固定するための磁石ホルダ３０などが設けられている。
【００２３】
図３に示すように、２個の対物レンズ１０Ａ，１０Ｂは、レンズホルダ１２上面の中央の点を挟んでトラッキング方向Ｔｒと直行する方向にそれぞれ変位した位置に保持されている。特に制限されないが、レンズホルダ１２上面の中央の点からそれぞれがほぼ等間隔に変位した位置に保持されるようにすると好ましい。
【００２４】
ワイヤＷ１〜Ｗ４は、左側のワイヤＷ１，Ｗ２が配線接続されたプリント基板１３ａと右側のワイヤＷ３，Ｗ４が配線接続されたプリント基板１３ｂとがレンズホルダ１２の凹部に嵌め込まれることでレンズホルダ１２に固着され、さらに、ワイヤＷ１〜Ｗ４とレンズホルダ１２内の配線とが電気的に接続されるようになっている。
【００２５】
ワイヤＷ１〜Ｗ４の取付け位置は、左側のワイヤＷ１，Ｗ２の付根の位置Ｓ１と右側のワイヤＷ３，Ｗ４の付根の位置Ｓ２とを結んだ線分が、平面図でレンズホルダ１２の中心位置とほぼ重なる位置に来るようにされている。
【００２６】
さらに、ワイヤＷ１〜Ｗ４は、左側のワイヤＷ１，Ｗ２と右側のワイヤＷ３，Ｗ４とがワイヤ基板２０に向って左右に間隔を開くように斜めに伸びるようにされ、その一端がワイヤ基板２０に半田付けされている。
【００２７】
コイルＴｒ１１，Ｔｒ１２，Ｔｒ２１，Ｔｒ２２（図３）は、トラッキング駆動に用いられるもので、それぞれ正方形の各辺に沿って導線が巻かれてなる薄型の角型扁平コイルからなる。これらのコイルは、レンズホルダ１２の対向する２つの側面１２Ａ，１２Ｂに２個ずつ水平方向に並ぶように取り付けられている。これらのコイルＴｒ１１，Ｔｒ１２，Ｔｒ２１，Ｔｒ２２はワイヤＷ１，Ｗ３の間に直列に接続されるとともに、同一面に設けられた２個のコイルＴｒ１１とＴｒ１２（或いはＴｒ２１とＴｒ２２）は互いに逆向き（例えばコイルＴｒ１１が時計方向ならコイルＴｒ１２が反時計方向）に電流が流れ、対向する２個のコイルＴｒ１１とＴｒ２１（或いはＴｒ１２とＴｒ２２）は同一方向から見て同じ回転方向に電流が流れるように接続されている。
【００２８】
コイルＦ１は、フォーカス駆動に用いられるもので、レンズホルダ１２の側面に巻回されている。このコイルはワイヤＷ２，Ｗ４の間に電気的に接続されている。
【００２９】
磁石１５Ａ，１５Ｂは、チルト角駆動に用いられるもので、レンズホルダ１２の底面にそれぞれ取り付けられている。これら２個の磁石１５Ａ，１５Ｂは、レンズホルダ底面の中心を挟んでトラッキング方向Ｔｒにそれぞれ等間隔に変位した位置に取り付けられている。
【００３０】
磁石ホルダ３０に設置される磁石３１，３２は、レンズホルダ１２のコイルＴｒ１１〜Ｔｒ２２が設けられている２つの側面１２Ａ，１２Ｂに対向するように配置され、ともに同一の極性（例えばＳ極）が内側を向くようにされている。これらの磁石３１，３２の横幅は２個のコイルの横幅の合計よりも狭く形成され、対向配置される２個のコイルＴｒ１１，Ｔｒ１２（又はＴｒ２１，Ｔｒ２２）に対して、各々のコイルの半分程度の範囲に重なるように配置されている。
【００３１】
ベース部３Ａ側のコイルＴｉ１，Ｔｉ２は、レンズホルダ１２の磁石１５Ａ，１５Ｂと対向する位置に設けられ、例えば直列に接続されて同一の電流が流されるようになっている。
【００３２】
このような構成のレンズアクチュエータ１１によれば、先ず、レンズホルダ１２の側面に巻回されたコイルＦ１に電流が流されることで、コイルＦ１と磁石３１，３２とが作用して、レンズホルダ１２をフォーカス方向Ｆへ駆動させる。電流の向きを逆にすることで逆方向の駆動となる。
【００３３】
また、ベース部３Ａ側のコイルＴｉ１，Ｔｉ２に電流が流されることで、これらコイルと磁石１５Ａ，１５Ｂとが作用して、レンズホルダ１２がチルト角方向へ駆動される。すなわち、ワイヤＷ２，Ｗ４の間に所定方向の電流を流すことで一方のコイルＴｉ１および磁石１５Ａに斥力、他方のコイルＴｉ２および磁石１５Ｂに引力が働いてレンズホルダ１２がＴｉ方向（図２）に傾き、逆方向の電流を流すことで逆の力が働いてレンズホルダ１２が−Ｔｉ方向に傾く。
【００３４】
図４には、レンズアクチュエータ１１においてトラッキング制御の動作を説明する図を示す。
トラッキング方向への駆動は、ワイヤＷ１，Ｗ３を介してコイルＴｒ１１，Ｔｒ１２，Ｔｒ２１，Ｔｒ２２に電流が流されることで行われる。すなわち、この電流によりコイルＴｒ１１，Ｔｒ１２，Ｔｒ２１，Ｔｒ２２と磁石３１，３２とが作用して、レンズホルダ１２が回転方向Ｒ（図４）に駆動され、それにより各々の対物レンズ１０Ａ，１０Ｂがトラッキング方向Ｔｒ，−Ｔｒに変位する。詳細には、ワイヤＷ１，Ｗ３を介して所定方向の電流が流されると、一方の側面１２Ａに設けられたコイルＴｒ１１，Ｔｒ１２には左向きの駆動力が、他方の側面１２Ｂに設けられたコイルＴｒ２１，Ｔｒ２２には右向きの駆動力がそれぞれ生じて、レンズホルダ１２がその中央の点をほぼ中心として回転方向Ｒに駆動する。そして、それにより、内側の対物レンズ１０Ｂはトラッキング方向Ｔｒに変位するとともに、外側の対物レンズ１０Ａは逆向きのトラッキング方向−Ｔｒに変位する。また、逆方向の電流を流すことでその逆の変位が得られ、これらにより各対物レンズ１０Ａ，１０Ｂのトラッキング制御が行われる。
【００３５】
図５には、レンズホルダ１２が光ディスクＤに面した状態の側面図を示す。
対物レンズ１０Ａ，１０Ｂは、例えば、開口数が“ＮＡ０．６〜０．６５”と“ＮＡ０．８５〜１．０”、レンズ上面から焦点位置までの距離を表わす作動距離（Ｗｏｒｋｉｎｇ  Ｄｉｓｔａｎｃｅ）が“１．５ｍｍ”と“０．３ｍｍ”とそれぞれ異なるものである。
これらの対物レンズ１０Ａ，１０Ｂは、図５に示すように、作動距離に合わせて高さを異ならせてレンズホルダ１２に保持されている。
【００３６】
以上のように、この実施の形態の光ディスク装置によれば、レンズアクチュエータ１１を枠体上で移動させることで、レーザ光が導かれる出射孔に対物レンズ１０Ａ又は１０Ｂを配置させ、２個の対物レンズ１０Ａ，１０Ｂを切り換えて使用することが出来る。このような構成によれば、例えばレンズアクチュエータやピックアップ機構を２組設けたものと比較して、レンズアクチュエータやレンズホルダが１個で済むことから構成のコンパクト化ならびに部品点数や製造コストの削減が図れる。
【００３７】
また、レンズアクチュエータ１１としてワイヤ支持型のものを適用しているため、光ディスクＤに対する対物レンズ１０Ａ，１０Ｂの追従性が良好である。ところで、ワイヤ支持型でレンズホルダ１２を並進させる場合にはレンズホルダ１２はバネ振動と同様の運動を行うので、その共振周波数ｆは次式（１）のように重量ｍの平方根の逆数に比例する。
【００３８】
【数１】
2004326887.tif 000003
【００３９】
従って、レンズホルダを並進運動させる構成では、２個の対物レンズ１０Ａ，１０Ｂを保持させることによりレンズホルダ１２の重量ｍが増した場合に、この重量ｍの増分だけ共振周波数ｆが低下することになる。フォーカス制御では余り高い周波数の運動を必要としていないため共振周波数の低下は余り問題にならないが、トラッキング制御には比較的高速な駆動を伴うので共振周波数ｆの低下は好ましくない。
【００４０】
そこで、この実施の形態のレンズアクチュエータ１１では、トラッキング制御にレンズホルダ１２を並進させるのではなく、レンズホルダ１２を回転運動させてトラッキング制御を行う構成とした。これにより、レンズホルダ１２の重量が運動に及ぼす影響を少なくでき、さらに変位量に対するバネの作用力も大きくなるため、この運動の共振周波数を高くすることが出来る。例えば、上記バネ振動の共振周波数ｆの式に当てはめた場合、重量ｍはレンズホルダ１２の実際の重量の１／３程度に、バネ定数ｋは並進のときよりも大きな値となり、並進運動の場合と比べて共振周波数ｆは高くなる。
【００４１】
従って、この実施の形態のレンズアクチュエータ１１によれば、１個のレンズホルダに２個の対物レンズを保持させてレンズホルダの重量が増した場合でも、安定的にトラッキング制御を行うことができる。
【００４２】
また、トラッキング制御でレンズホルダ１２が回転運動する際、ワイヤＷ１〜Ｗ４が斜めに伸びるように固定されているため、回転方向Ｒの駆動力に対してワイヤＷ１〜Ｗ４が適宜曲がり、レンズホルダ１２をスムースに回転方向Ｒに駆動することができる。
【００４３】
なお、本発明は、上記実施の形態に限られるものではなく、様々な変更が可能である。例えば、トラッキング制御でレンズホルダ１２のスムースな回転を得るためのワイヤ支持構造として、図３のように左右のワイヤＷ１〜Ｗ４がワイヤ基板２０に向って間隔が開くように斜めに固定するほか、例えば、各ワイヤＷ１〜Ｗ４がワイヤ基板２０に向って間隔を狭めるように斜めに固定される構造としても良く、このような構造でも同様の効果を得ることが出来る。また、直線状のワイヤＷ１〜Ｗ４ではなく、例えば中間で９０度に曲がったワイヤを用いてレンズホルダ１２を支持させることで、レンズホルダ１２の回転方向の駆動をスムースに行わせることも可能である。
【００４４】
また、実施の形態ではレンズアクチュエータとしてチルト角補正を行う３軸駆動タイプのものを示したが、本発明はチルト角補正を行わない２軸駆動タイプのレンズアクチュエータを備えた光ディスク装置に対しても同様に適用することも出来る。
【００４５】
その他、レンズアクチュエータをピックアップ機構内で移動させるレンズ切換機構、ピックアップ機構をディスクの半径方向に移動させる機構、レンズホルダを駆動するための磁石やコイルの配置構成、対物レンズの種類や記録再生を行うメディアの種類など、実施の形態で具体的に示した細部は適宜変更可能であることは云うまでもない。
【００４６】
【発明の効果】
以上説明したように、本発明に従うと、例えばレンズアクチュエータやピックアップ機構を２組設けたものに比較して、レンズアクチュエータやレンズホルダが１個で済むことから光ディスク装置全体の構成のコンパクト化、部品点数の削減ならびに製造コストの低減が図れるという効果がある。
【００４７】
また、ワイヤ支持型のレンズアクチュエータであるので光ディスクに対する追従性が良好であるとともに、２個の対物レンズをレンズホルダに保持させることでレンズホルダの重量が増しても、トラッキング制御の共振周波数を低く抑えることができ、安定した対物レンズの位置補正が出来るという効果がある。
【図面の簡単な説明】
【図１】本発明の実施の形態の光ディスク装置における光ピックアップの駆動系の構成を示す斜視図である。
【図２】図１のレンズアクチュエータを示す分離斜視図である。
【図３】図２のレンズアクチュエータの平面図である。
【図４】実施の形態に係るレンズアクチュエータにおいてトラッキング制御の動作を示す図である。
【図５】レンズホルダが光ディスクに面した状態を横から眺めた側面図である。
【符号の説明】
３      ピックアップ機構
３Ａ    ベース部
３Ｂ    枠体
４      スクリューシャフト
１０Ａ，１０Ｂ  対物レンズ
１１    レンズアクチュエータ
１２    レンズホルダ
２０Ａ  半導体レーザ
２１    スプリッタ
３１，３２  磁石
１５Ａ，１５Ｂ  磁石
４１    軸受け
４２    スライドシャフト
Ｗ１〜Ｗ４  ワイヤ
Ｆ１，Ｔｒ１１，Ｔｒ１２，Ｔｒ２１，Ｔｒ２２  コイル
Ｔｉ１，Ｔｉ２  コイル
【図１】
2004326887.tif 000004
【図２】
2004326887.tif 000005
【図３】
2004326887.tif 000006
【図４】
2004326887.tif 000007
【図５】
2004326887.tif 000008